(57)【要約】【課題】誤操作防止の機能をより確実にし、かつ安価にする。【解決手段】壁面１０の開口部に取り付けられ、壁面と平行な軸により回動可能に支持されたスイッチ片２２の一方の端部を押し下げることにより他方の端部が壁面から突出し、いずれを押し下げるかによってオンとオフとが切り替わるスイッチ本体と、スイッチ本体のオン又はオフのいずれかのときに壁面から突出姿勢となるスイッチ片の第１端部に対する誤操作を防止するための誤操作防止具３０とを備え、スイッチ片は、開口部に固定されるケース内に、軸により支持されており、ケースには、壁面に当接するフランジ部２１ａがスイッチ片の周囲に張り出して形成され、誤操作防止具は、スイッチ片の周囲に配置されるフレーム状に形成されるとともに、スイッチ片における第１端部の両側方に立設する一対の側面防護壁３１が、フランジ部の表面に被さるように設けられている。【選択図】      図１
2015170460.tif 000002
【特許請求の範囲】
【請求項１】
壁面の開口部に取り付けられ、前記壁面と平行な軸により回動可能に支持されたスイッチ片の一方の端部を押し下げることにより他方の端部が前記壁面から突出し、いずれを押し下げるかによってオンとオフとが切り替わるスイッチ本体と、該スイッチ本体のオン又はオフのいずれかのときに前記壁面から突出姿勢となる前記スイッチ片の第１端部に対する誤操作を防止するための誤操作防止具とを備え、
前記スイッチ片は、前記開口部に固定されるケース内に、前記軸により支持されており、前記ケースには、前記壁面に当接するフランジ部が前記スイッチ片の周囲に張り出して形成され、前記誤操作防止具は、前記スイッチ片の周囲に配置されるフレーム状に形成されるとともに、前記スイッチ片における前記第１端部の両側方に立設する一対の側面防護壁が、前記フランジ部の表面に被さるように設けられていることを特徴とする誤操作防止具付きスイッチ装置。
【請求項２】
前記スイッチ片の操作面は、前記一方の端部と他方の端部との間を長手方向に結ぶ凹面に形成されるとともに、前記側面防護壁の上端面は、前記突出姿勢時における前記第１端部の操作面に沿う凹面に形成されていることを特徴とする請求項１記載の誤操作防止具付きスイッチ装置。
【請求項３】
前記側面防護壁は、前記スイッチ片における前記第１端部とは反対側の第２端部の側方であって前記フランジ部よりも外方位置に、前記長手方向に延びる側面フレーム部が形成され、該側面フレーム部の上端面は、前記突出姿勢時における前記第２端部の前記操作面に沿って形成されていることを特徴とする請求項２記載の誤操作防止具付きスイッチ装置。
【請求項４】
前記誤操作防止具における前記側面防護壁の間に、前記第１端部の先端面に対向する端面防護壁が立設されており、該端面防護壁は、その上端が前記先端面と前記操作面との間の頂部に接近するように傾斜して立設されていることを特徴とする請求項２又は３記載の誤操作防止具付きスイッチ装置。
【請求項５】
前記誤操作防止具に、前記スイッチ片の前記第２端部よりも先端側で前記側面フレーム部間を連結する先端フレーム部が設けられるとともに、該先端フレーム部に前記壁面に形成した先端側孔部に係合する先端側爪部が設けられ、前記側面防護壁に、前記壁面に形成した側面側孔部に係合する側面側爪部が設けられ、前記側面側爪部の下面は、前記先端側爪部を前記先端側孔部に係合して前記側面側爪部を前記側面側孔部に接近させたときに、前記壁面と平行となるように前記側面フレーム部の長手方向に対して傾斜して形成されていることを特徴とする請求項３記載の誤操作防止具付きスイッチ装置。
【請求項６】
前記誤操作防止具に、前記壁面に形成したガイド孔部に挿入可能なガイド突起が、前記側面側爪部よりも長く突出して設けられていることを特徴とする請求項５記載の誤操作防止具付きスイッチ装置。
【請求項７】
壁面の開口部に固定されたケースに前記壁面と平行な軸により回動可能に支持されたスイッチ片の一方の端部を押し下げることにより他方の端部が前記壁面から突出し、いずれを押し下げるかによってオンとオフとが切り替わるスイッチ本体のオン又はオフのいずれかのときに前記壁面から突出姿勢となるスイッチ片の第１端部に対する誤操作を防止するためのスイッチ装置用誤操作防止具であって、
前記スイッチ片の周囲に配置可能なフレーム状に形成されるとともに、前記スイッチ片の周囲に配置されたときに該スイッチ片における前記第１端部の両側方に立設する一対の側面防護壁が、前記スイッチ片の周囲に張り出して前記壁面に当接する前記ケースのフランジ部の表面に被さるように設けられることを特徴とするスイッチ装置用誤操作防止具。
【発明の詳細な説明】
【技術分野】
【０００１】
本発明は、電気電子機器の筐体等の壁面に設けられ、スイッチ片が回動してオン、オフが切り替わるシーソー型のスイッチ装置に係り、誤って切断、接続されないようにするための誤操作防止具付きスイッチ装置及びその誤操作防止具に関する。
【背景技術】
【０００２】
シーソー型のスイッチ装置（ロッカースイッチ、波形スイッチともいう）は、電気電子機器の筐体等の壁面に、一部埋設状態に設けられ、壁面と平行な軸により回動可能に支持されたスイッチ片の一方の端部を押し下げることにより他方の端部が壁面から突出し、いずれを押し下げるかによってオンとオフとが切り替わる構成である。
この種のスイッチ装置において、オン又はオフのいずれかのときに壁面から突出姿勢となるスイッチ片の端部が誤って押し下げられることがないように、誤操作防止具を備えたものがある。
【０００３】
特許文献１には、スイッチ本体のシャーシに、誤操作防止具（プロテクタ）がねじ止めされたものが開示されている。その誤操作防止具は、金属板を折り曲げ形成することにより、スイッチ片の周囲に配置される枠状部と、この枠状部の両側縁から立ち上がる防護壁とが一体に形成されている。また、その防護壁は、スイッチ片の側面より大きく形成され、スイッチ片の両側方位置に立設されることにより、その上端がスイッチ片の頂部よりも高い位置に配置され、スイッチ片に誤って指が触れて操作されることがないようになっている。
特許文献２には、特許文献１と同様に、スイッチ片の両側方に防護壁が立ち上げられているとともに、これら防護壁にまたがるように操作ロックバーが回動自在に取り付けられた構成が開示されており、操作ロックバーをスイッチ片の上方に配置することにより、スイッチ片を操作できないようにされている。
【先行技術文献】
【特許文献】
【０００４】
【特許文献１】実開昭６２−１４４０２９号公報
【特許文献２】特許第４４８７７９０号公報
【発明の概要】
【発明が解決しようとする課題】
【０００５】
しかしながら、特許文献１記載のスイッチ装置は、スイッチ片の幅に比べて両防護壁の間隔が大きいため、両防護壁の間に指が入り込んで誤操作されてしまうことを十分に防止しきれないという問題がある。一方、特許文献２記載のスイッチ装置では、操作ロックバーを設ける分、部品点数が多くなってコスト高を招く。
【０００６】
本発明は、このような事情に鑑みてなされたもので、誤操作防止の機能をより確実にした安価な誤操作防止具付きスイッチ装置及びその誤操作防止具を提供することを目的とする。
【課題を解決するための手段】
【０００７】
本発明の誤操作防止具付きスイッチ装置は、壁面の開口部に取り付けられ、前記壁面と平行な軸により回動可能に支持されたスイッチ片の一方の端部を押し下げることにより他方の端部が前記壁面から突出し、いずれを押し下げるかによってオンとオフとが切り替わるスイッチ本体と、該スイッチ本体のオン又はオフのいずれかのときに前記壁面から突出姿勢となる前記スイッチ片の第１端部に対する誤操作を防止するための誤操作防止具とを備え、前記スイッチ片は、前記開口部に固定されるケース内に、前記軸により支持されており、前記ケースには、前記壁面に当接するフランジ部が前記スイッチ片の周囲に張り出して形成され、前記誤操作防止具は、前記スイッチ片の周囲に配置されるフレーム状に形成されるとともに、前記スイッチ片における前記第１端部の両側方に立設する一対の側面防護壁が、前記フランジ部の表面に被さるように設けられていることを特徴とする。
【０００８】
この誤操作防止具付きスイッチ装置（以下、単にスイッチ装置という場合もある）において、誤操作防止具の側面防護壁は、スイッチ本体におけるケースのフランジ部に被さるように設けられているので、その内側面をフランジ部の外縁よりもスイッチ本体に接近して配置することができ、誤操作防止機能をより確実に発揮することができる。また、この誤操作防止具は、スイッチ片の周囲に配置されるフレーム状に形成されているので、構造が簡単であるとともに、スイッチ本体を壁面の開口部に取り付けた後に、側面防護壁をケースのフランジに被せるようにして取り付けることができ、取り付け作業性もよい。
なお、この誤操作防止具は、スイッチ片の周囲をすべて囲む形状でなくてもよく、平面視矩形状のスイッチ片であれば、その両側方を含めて少なくとも三方を囲む形状であればよい。
【０００９】
本発明の誤操作防止具付きスイッチ装置において、前記スイッチ片の操作面は、前記一方の端部と他方の端部との間を長手方向に結ぶ凹面に形成されるとともに、前記側面防護壁の上端面は、前記突出姿勢時における前記第１端部の操作面に沿う凹面に形成されているとよい。
側面防護壁の上端面がスイッチ片の操作面に沿う凹面に形成されることにより、両側面防護壁の間に指が食い込む現象を防止して、誤操作防止機能をさらに確実にすることができる。
【００１０】
本発明の誤操作防止具付きスイッチ装置において、前記側面防護壁は、前記スイッチ片における前記第１端部とは反対側の第２端部の側方であって前記フランジ部よりも外方位置に、前記長手方向に延びる側面フレーム部が形成され、該側面フレーム部の上端面は、前記突出姿勢時における前記第２端部の前記操作面に沿って形成されているとよい。
スイッチ片の第２端部においては、側面防護壁の高さが低く、かつ、フランジ部よりも外側に配置されているので、操作者の操作を妨げることがない。
【００１１】
本発明の誤操作防止具付きスイッチ装置において、前記誤操作防止具における前記側面防護壁の端部間に、前記第１端部の前記操作面に連続する端面と対向する端面防護壁が立設されており、該端面防護壁は、その上端が前記端面と前記操作面との間の頂部に接近するように傾斜して立設されているとよい。
端面防護壁は、両側面防護壁の間に操作者の指の一部が若干食い込む傾向となった場合でも、端面防護壁の上端が指に当接して、指が両側面防護壁間に深く侵入することを防止することができる。この場合、端面防護壁が傾斜して立設されていることにより、早い段階で指に当接して、誤操作を確実に防止することができる。
【００１２】
本発明の誤操作防止具付きスイッチ装置において、前記誤操作防止具に、前記スイッチ片の前記第２端部よりも先端側で前記側面フレーム部間を連結する先端フレーム部が設けられるとともに、該先端フレーム部に前記壁面に形成した先端側孔部に係合する先端側爪部が設けられ、前記側面防護壁に、前記壁面に形成した側面側孔部に係合する側面側爪部が設けられ、前記側面側爪部の下面は、前記先端側爪部を前記先端側孔部に係合して前記側面側爪部を前記側面側孔部に接近させたときに前記壁面と平行となるように、前記側面防護壁の長手方向に対して傾斜して形成されているとよい。
【００１３】
このスイッチ装置は、スイッチ本体を壁面の開口部に取り付けた後、このスイッチ本体の上から誤操作防止具を取り付けることができ、その場合に、先端側爪部をまず先端側孔部に係合し、その係合部分を中心として回動させるようにしながら側面側爪部を側面側孔部に接近させて係合すればよい。このとき、この側面側爪部を側面側孔部に接近させると、側面側爪部の下面が壁面と平行となるので、誤操作防止具が傾いて取り付けられることが防止され、したがって、その誤操作防止機能を確実に発揮させることができる。
【００１４】
本発明の誤操作防止具付きスイッチ装置において、前記誤操作防止具に、前記壁面に形成したガイド孔部に挿入可能なガイド突起が、前記側面側爪部よりも長く突出して設けられているとよい。
誤操作防止具を壁面に取り付ける際に、前述したように、先端側爪部を先端側孔部に係合して回動させることにより、側面側爪部を側面側孔部に係合するが、その際に、ガイド突起の先端が側面側爪部よりも先に壁面のガイド孔部に挿入されるので、その後の側面側爪部を側面側孔部に確実に案内して、正確な姿勢に確実に取り付けることができる。
【００１５】
また、本発明のスイッチ装置用誤操作防止具は、壁面の開口部に固定されたケースに前記壁面と平行な軸により回動可能に支持されたスイッチ片の一方の端部を押し下げることにより他方の端部が前記壁面から突出し、いずれを押し下げるかによってオンとオフとが切り替わるスイッチ本体のオン又はオフのいずれかのときに前記壁面から突出姿勢となるスイッチ片の第１端部に対する誤操作を防止するためのスイッチ装置用誤操作防止具であって、前記スイッチ片の周囲に配置可能なフレーム状に形成されるとともに、前記スイッチ片の周囲に配置されたときに該スイッチ片における前記第１端部の両側方に立設する一対の側面防護壁が、前記スイッチ片の周囲に張り出して前記壁面に当接する前記ケースのフランジ部の表面に被さるように設けられることを特徴とする。
【発明の効果】
【００１６】
本発明によれば、側面防護壁をスイッチ片に接近させて配置したので、誤操作防止の機能を確実に発揮させることができ、しかも、この側面防護壁をスイッチ本体のフランジ部に被さるように立設した単純構造であり、安価なスイッチ装置とすることができる。
【図面の簡単な説明】
【００１７】
【図１】本発明の一実施形態の誤操作防止具付きスイッチ装置を示す斜視図である。
【図２】図１のスイッチ装置の平面図である。
【図３】図２のＡ−Ａ線に沿う矢視断面図である。
【図４】一実施形態のスイッチ本体を示す平面図である。
【図５】図４のスイッチ本体の側面図である。
【図６】図４のスイッチ本体の正面図である。
【図７】一実施形態の誤操作防止具を示す斜視図である。
【図８】図７の誤操作防止具の平面図である。
【図９】図７の誤操作防止具の右側面図である。
【図１０】図７の誤操作防止具の正面図である。
【図１１】図８のＢ−Ｂ線に沿う矢視断面図である。
【図１２】図８のＣ−Ｃ線に沿う矢視断面図である。
【図１３】壁面の開口部及び窓部を示す平面図である。
【図１４】壁面に誤操作防止具を取り付ける前の状態を示す斜視図である。
【図１５】壁面に誤操作防止具を取り付けている途中の状態を示す斜視図である。
【発明を実施するための形態】
【００１８】
以下、本発明の誤操作防止具付きスイッチ装置の実施形態について図面を参照して説明する。
一実施形態のスイッチ装置１は、電気音響機器の筐体の壁面１０に設けられており、その壁面１０の開口部１１に取り付けられるスイッチ本体２０と、その誤操作防止のための誤操作防止具３０とを備えている。
スイッチ本体２０は、図４〜図６に示すように、ケース２１内にスイッチ機構部（図示略）が収容されるとともに、ケース２１から一部を露出させた状態でスイッチ片２２が設けられている。
【００１９】
ケース２１は、直方体状に形成されており、矩形状の開口部１１（図１３参照）内に大部分が収容され、スイッチ片２２を露出させている開口端に、その周囲に一定の幅で張り出すようにフランジ部２１ａが一体に形成され、このフランジ部２１ａが図１及び図３に示すように壁面１０の上に固定されている。この実施形態の場合、壁面１０は、躯体壁１２とその上に設けられる外装パネル１３とにより構成されており、躯体壁１２にスイッチ本体２０のケース２１を嵌合する開口部１１が形成され、外装パネル１３には、開口部１１に収容されたケース２１のフランジ部２１ａよりも大きい窓部１４（図１３参照）が形成されている。そして、ケース２１の前面及び後面には、前後方向に広がるように弾性片２３が設けられており、ケース２１は、これら弾性片２３を弾性変形させながら開口部１１内に嵌合した後、フランジ部２１ａと弾性片２３の先端との間で躯体壁１２を挟持した状態に固定されるようになっている。
【００２０】
スイッチ片２２は、ケース２１の開口端と同様に平面視が長尺矩形状に形成されるとともに、その長手方向の中央部がケース２１に軸２４により回動可能に支持されている。この軸２４は、スイッチ本体２０を壁面１０の開口部１１に固定したときに、壁面１０と平行となるように配置されている。また、スイッチ片２２の一部がケース２１から露出させられており、その露出した表面に操作面２２ａが形成されている。
この操作面２２ａは、軸２４により支持されている部分を中心に両端部で盛り上がるように、両端部２５，２６間を長手方向に結ぶ凹面に形成されている。そして、このスイッチ片２２は、図５に実線と二点鎖線とで示したように、操作面２２ａの一方の端部を押し下げると、他方の端部が突出するシーソー型のスイッチ（ロッカースイッチあるいは波形スイッチともいう）を構成しており、いずれの端部２５，２６を押し下げるかによってオンとオフとが切り替わるようになっている。なお、凹面（操作面）２２ａの両端には、スイッチ片２２の両端面２２ｂが連続して形成されており、これら端面２２ｂは、軸２４を中心とする凸円弧面状に形成される。
なお、このスイッチ本体２０において、符号２７で示すものは、外部に電気的に接続される端子である。
【００２１】
誤操作防止具３０は、全体としては、スイッチ片２２の周囲を囲む平面視矩形のフレーム状に形成され、スイッチ片２２の一方の端部２５の両側方に配置される側面防護壁３１、この側面防護壁３１に連続して他方の端部２６の両側方に配置される側面フレーム部３２、両側面防護壁３１の端部間を連結する端面防護壁３３、両側面フレーム部３２の端部間を連結する端部フレーム部３４を有している。
この場合、図１、図２、図１１及び図１２に示すように、両側面フレーム部３２及び端部フレーム部３４は、スイッチ本体２０のケース２１のフランジ部２１ａよりも外側に配置されるのに対して、両側面防護壁３１及び端面防護壁３３は、ケース２１のフランジ部２１ａの上に被さるように設けられており、これにより、両側面防護壁３１の内面の相互間隔が両側面フレーム部３２の内面の相互間隔よりも狭く、両側面防護壁３１の内面がスイッチ片２２の両側面に接近して配置されている。
【００２２】
また、両側面防護壁３１及び両側面フレーム部３２の上端面３１ａ，３２ａは、スイッチ片２２の操作面２２ａに沿う凹面に形成されている。この誤操作防止具３０は、本実施形態では、スイッチ片２２をオンの状態にしたときに突出姿勢となる端部（これを第１端部という）２６が誤って押し下げ状態とならないようにするものであり、両側面防護壁３１の上端面３１ａ及び両側面フレーム部３２の上端面３２ａは、図３に示すように、スイッチ片２２の第１端部２５が突出姿勢となった時の操作面２２ａよりわずかに（後述する側面防護壁３１の連結部の肉厚程度）上方位置で操作面２２ａに沿う凹面に形成されている。
【００２３】
一方、端面防護壁３３は、本実施形態では両側面防護壁３１の最上端の高さに設定されている。また、この端面防護壁３３は、上端部がケース２１のフランジ部２１ａの上方に覆い被さるように湾曲していることにより全体として傾斜して立設され、その上端がスイッチ片２２の第１端部２５における端面２２ｂと操作面２２ａとの間の頂部２２ｃに接近して配置されている。
【００２４】
また、誤操作防止具３０の端部フレーム部３４及び両側面防護壁３１の下面には、爪部３５，３６が一体に形成されており、これら爪部３５，３６が壁面１０に形成した孔部１５，１６にそれぞれ係合することにより、誤操作防止具３０を壁面１０に固定するようになっている（図１１乃至図１５参照）。
これら爪部３５，３６は、端部フレーム部３４に設けられた先端側爪部３５と、両側面防護壁３１に設けられた側面側爪部３６とからなり、いずれも外側に向けてフック部３５ａ，３６ａが形成される。一方、孔部１５，１６は、これら爪部３５，３６に対応して先端側孔部１５、側面側孔部１６が、壁面１０の開口部１１の一部を広げるように躯体壁１２及び外装パネル１３の一部を切欠いて形成される。
前述したように、壁面１０は躯体壁１２と外装パネル１３とにより構成されており、開口部１１は躯体壁１２に形成されるが、各孔部１５，１６は外装パネル１３に形成され、これら孔部１５，１６の形成箇所において、各孔部１５，１６に係合した爪部３５，３６に干渉しないように躯体壁１２の一部が切欠されている（図１３参照）。
【００２５】
この誤操作防止具３０を壁面１０に取り付ける際には、まず先端側爪部３５を先端側孔部１５に係合し、その後、両側面側爪部３６を側面側孔部１６に係合することにより行われるが、先端側爪部３５を先端側孔部１５に係合して側面側爪部３６を側面側孔部１６に接近させたときに壁面１０と平行となるように、側面側爪部３６の下面が側面防護壁３１の長手方向に対して傾斜して形成されている（図９の一点鎖線参照）。
【００２６】
また、両側面側爪部３６より端面防護壁３３側の両側部の下面には、好適には側面側爪部３６よりも長く突出するガイド突起３７が立設されており、壁面１０の開口部１１には、このガイド突起３７を挿入するガイド孔部１７が、他の孔部１５，１６と同様に開口部１１の一部を広げるように躯体壁１２及び外装パネル１３の一部を切欠いて形成されている。そして、本実施形態においては誤操作防止具３０を壁面１０に取り付ける際に、側面側爪部３６よりも先にガイド突起３７がガイド孔部１７に挿入して、側面側爪部３６の側面側孔部１６への係合を案内するようになっている。
【００２７】
なお、両側面防護壁３１は、図１１に示すように二重壁状に形成されており、その外側壁部３１ｂの下面に側面側爪部３６が形成されている。この二重壁構造は、外側壁部３１ｂと内側壁部３１ｃとが上端部で連結部３１ｄにより連結され、両壁部３１ｂ，３１ｃの下面は間隔をあけて離間した状態とされる。外側壁部３１ｂは、内側壁部３１ｃに対して、その下端を漸次離間させるように傾斜している。
【００２８】
このように構成したスイッチ装置１を壁面１０に取り付ける場合、まず、図１４に示すように、スイッチ本体２０を壁面１０の開口部１１に装着する。このスイッチ本体２０のケース２１にはフランジ部２１ａが設けられているので、そのフランジ部２１ａが開口部１１の周囲に係止され、弾性片２３によって内側から固定される。
【００２９】
次いで、誤操作防止具３０を取り付ける場合、先端側爪部３５を先端側孔部１５に係合し、図１５に示すように、その係合部分を中心として誤操作防止具３０を回動させながら、両側面側爪部３６を壁面１０に接近させると、これら側面側爪部３６よりも先にガイド突起３７がガイド孔部１７に挿入され、次いで、側面側爪部３６が側面側孔部１６に係合する。このとき、前述したように、側面側爪部３６の下面は、壁面１０と平行な姿勢で当接し、その状態からさらに押し込まれることで側面側孔部１６に係合する。このため、誤操作防止具３０を確実かつ容易に壁面１０に対して取り付けることができる。
また、両側面側爪部３６は外側に向けてフック部３６ａが形成されており、かつ側面防護壁３６の外側壁部３１ｂに設けられているので、側面側孔部１６に係合する際に、側面防護壁３１の外側壁部３１ｂの弾性により緊密に側面側孔部１６に係合し、誤操作防止具３０が確実に固定される。
【００３０】
この誤操作防止具３０が取り付けられると、側面フレーム部３２及び端部フレーム部３４は、スイッチ本体２０のフランジ部２１ａの外縁よりも外側に配置されるが、側面防護壁３１は、フランジ部２１ａの上に被さるように設けられ、その内側壁部３１ｃの内面はフランジ部２１ａの外縁よりもスイッチ片２２の両側面に接近して配置される。例えば、スイッチ片２２の幅が約１０ｍｍ、フランジ部２１ａの幅が約１５ｍｍに対して、両側面防護壁３１の内面の間隔は約１２ｍｍ、両側面フレーム部３２の内面の間隔は約１７ｍｍとされる。また、この側面防護壁３１の上端面３１ａは、突出姿勢時における第１端部２５の操作面２２ａに沿う凹面に形成されている。
【００３１】
したがって、両側面防護壁３１の間隔が狭く、その間に指が誤って侵入することが防止される。しかも、この側面防護壁３１の端部間には端面防護壁３３が立設され、この端面防護壁３３の上端がスイッチ片２２の端面２２ｂと操作面２２ａとの間の頂部２２ｃに接近しているので、両側面防護壁３１の間に操作者の指の一部が若干食い込む傾向となった場合でも、端面防護壁３３の上端が早い段階で指に当接して、指が両側面防護壁３１間に深く侵入することを確実に防止することができる。
【００３２】
一方、第１端部２５とは反対側で押し下げ状態となっている端部（これを第２端部という）２６においては、その両側方及び先端側に配置される側面フレーム部３２及び端部フレーム部３４ともに低い高さに設定されているが、押し下げ姿勢であるので、指が触れても誤操作にはならない。
逆に、第１端部２５が押し下げられたオフ状態のときには、図５の二点鎖線で示すように、第２端部２６は突出姿勢となり、そのとき側面フレーム部３２及び端部フレーム部３４は高さが小さいので、この端部を押し下げ操作する際には、その操作を妨げることはない。
【００３３】
この誤操作防止具３０を壁面１０から取り外す場合、両側面防護壁３１が二重壁構造となっており、その外側壁部３１ｂを両側から挟むように押圧すると、連結部３１ｄを支点としてたわむように弾性変形するので、両外側壁部３１ｂを接近させることにより、その下面の側面側爪部３６のフック部３６ａを側面側孔部１６から外すことができる。ただし、これら側面防護壁３１は、内側壁部３１ｃと外側壁部３１ｂとの上端部が連結部３１ｄにより連結状態とされているので、側面防護壁３１の外側壁部３１ｂの下端部を押圧しないと弾性変形させることが難しい。このため、不用意に外側壁部３１ｂを弾性変形させて壁面１０から脱落させることを防止することができる。
【００３４】
なお、本発明は、上記実施形態に限定されるものではなく、本発明の趣旨を逸脱しない範囲において種々の変更を加えることが可能である。
実施形態では、壁面１０が躯体壁１２と外装パネル１３とにより構成されるとしたが、１枚の壁によって構成されるものとしてもよい。
また、誤操作防止具３０は、スイッチ片２２の周囲のすべてを囲むように構成したが、端部フレーム部３４は省略してもよい。その場合、側面フレーム部３２の端部に先端側爪部３５に相当する爪部を設ければよい。
また、両側面防護壁３１及び両側面フレーム部３２の上端面３１ａ，３２ａは、スイッチ片２２の操作面２２ａに沿う連続した凹面に形成したが、スイッチ片２２の第１端部２５の突出姿勢時の誤操作防止および押し下げ姿勢時の操作の妨げとならない形状であれば、これに限らない。例えば直線状であったり、中途に段差や切り欠き等を形成してもよい。
同様に、第１端部２５の押し下げ姿勢時の操作の妨げとならないのであれば、両側面防護壁３１の内面の相互間隔と両側面フレーム部３２の内面の相互間隔とを同一のものとしてもよい。
【００３５】
スイッチ片の操作面２２ａとしての凹面は図示例では円弧面状に形成されているが、それぞれの端部から長手方向の中央部に向けて下り勾配に傾斜する平坦面を長手方向の中央部で屈曲して連続させた形状であってもよく、誤操作防止具の両側面防護壁及び両側面フレーム部は、そのスイッチ片の操作面の凹面形状に沿うように形成すればよい。
また、誤操作防止具の上端面の凹面は、スイッチ片の凹面と必ずしも厳密に一致した形状でなくてもよく、全体として沿う形状であればよい。
ガイド突起３７を省略してもよい。ただし、この場合取り付けの容易性は本実施形態より劣ることになるが、取り付け後のスイッチ片２２の誤操作防止という点では変わりない。
ガイド突起３７や先端側爪部３５、側面側爪部３６の位置あるいは個数は本実施形態に限らない。例えば先端側爪部３５は端部フレーム部３４の下方２箇所に形成してもよい。あるいは、側面側爪部３６は防護壁３１の下方１箇所に形成してもよい。
誤操作防止具は合成樹脂により製造し得るが、金属製としてもよい。
また、スイッチ本体も一例を示したものであり、その細部構造は実施形態のものに限定されるものではない。
【符号の説明】
【００３６】
１…スイッチ装置（誤操作防止具付きスイッチ装置）、１０…壁面、１１…開口部、１２…躯体壁、１３…外装パネル、１４…窓部、１５…先端側孔部、１６…側面側孔部、１７…ガイド孔部、２０…スイッチ本体、２１…ケース、２１ａ…フランジ部、２２…スイッチ片、２３…弾性片、２４…軸、２２ａ…操作面、２２ｂ…端面、２２ｃ…頂部、２５…端部（第１端部）、２６…端部（第２端部）、２７…端子、３０…誤操作防止具、３１…側面防護壁、３１ａ，３２ａ…上端面、３１ｂ…外側壁部、３１ｃ…内側壁部、３１ｄ…連結部、３２…側面フレーム部、３３…端面防護壁、３４…端部フレーム部、３５…先端側爪部、３６…側面側爪部、３５ａ，３６ａ…フック部、３７…ガイド突起
【図１】
2015170460.tif 000003
【図２】
2015170460.tif 000004
【図３】
2015170460.tif 000005
【図４】
2015170460.tif 000006
【図５】
2015170460.tif 000007
【図６】
2015170460.tif 000008
【図７】
2015170460.tif 000009
【図８】
2015170460.tif 000010
【図９】
2015170460.tif 000011
【図１０】
2015170460.tif 000012
【図１１】
2015170460.tif 000013
【図１２】
2015170460.tif 000014
【図１３】
2015170460.tif 000015
【図１４】
2015170460.tif 000016
【図１５】
2015170460.tif 000017